(57)【要約】【課題】  強度を向上させて安全性を増大させた挟框扉錠の錠止機構を提供する。【解決手段】  合鍵またはサムターンの操作により連動して回動する第１及び第２駆動歯車２、３の回動によりスライダ９を左右方向に移動させ、第２係合ピン１７とダルマ形の第２係合穴１５との係合を介して錠止レバー１６の一端部を振り出し開口８から振り出させ、施錠時、ロックレバー２３の先端と錠止レバー６の他端部に形成された衝止段部２４に係合させて錠止レバーを衝止する。【選択図】  図２
2008163618.tif 000002
【特許請求の範囲】
【請求項１】
狭框扉錠の錠箱内において夫々回動自在に案内され、錠前シリンダ及びサムターンシリンダ或いは他の錠前シリンダの一方に連係された第１駆動歯車と、他方に連係されると共に第１駆動歯車にも連係された第２駆動歯車と、錠箱を厚さ方向に貫通する方向の錠止レバー軸により中央部を回動自在に支承され、錠箱の振り出し開口から振り出されることにより一端部がストライク孔に振り入れられる錠止レバーと、この錠止レバーの他端部と一部重合する態様で水平方向に移動可能に案内されると共に錠止レバーと係合し、水平方向の往復動により錠止レバーを錠箱の振り出し開口から振り出したり錠箱内に引っ込めたりするスライダと、このスライダと上記第１及び第２駆動歯車とを連結し、後者の回動をスライダの水平方向の動きに変換する伝達機構と、上記錠止レバー軸と平行な回動軸を有し、スライダに形成されたラックと噛み合い係合をするセクターギアに一体的に結合されて、スライダの往復動により先端が錠止レバーを掠めるように回動する制御レバーと、錠箱内において一端を回動自在に支承され、他端が錠止レバーの他端部に形成された衝止段部に係合する方向に付勢されたロックレバーと、全体の形状が略へ字形で、凸部を外側に向けて、中央部を錠止レバーの他端部に回動可能に支承されたリリースレバーとを有し、このリリースレバーの一端が制御レバーの移動軌跡に干渉したとき、他端がロックレバーにその付勢方向とは逆方向から当接可能に臨むようにその寸法、形状を設定し、制御レバーの解錠方向への回動の初期において、リリースレバーの一端を押動し、その他端によりロックレバーの先端を錠止レバーの衝止段部から外すようにしたことを特徴とする狭框扉錠の錠止機構。
【発明の詳細な説明】
【技術分野】
【０００１】
この発明は、狭框扉錠の錠止機構（以下単に錠止機構という）に係り、特に、強度を向上させて安全性を増大させた錠止機構に関する。
【背景技術】
【０００２】
通常エンジンドアと称される自動開閉引戸は、シリンダ錠やサムターンが扉面から突出していると突出部分が戸袋や引き違いとなる他の引戸と干渉するので、例えば下記特許文献１に記載されているように、シリンダ錠１とサムターン２及びサムターン軸を回動自在に支持した筒体（以下サムターンシリンダという）を、水平方向に沿い平行な異軸上に並設して埋設し、突出部の引戸面外への突出寸法をごく小さくしている（所謂狭框扉錠）。
【０００３】
なお、特許文献１に記載の狭框扉錠では、錠前シリンダとサムターンシリンダのように違うシリンダを並設するものとしたが、２つとも錠前シリンダとする用い方もある。
【特許文献１】実開平０４−０７２１７１号公報
【発明の開示】
【発明が解決しようとする課題】
【０００４】
例えば上記特許文献１に記載された錠止機構は、錠前シリンダ及びサムターンシリンダ或いは他の錠前シリンダの一方に連係された第１駆動歯車と、他方に連係された第２駆動歯車とを、狭框扉錠の錠箱を上下方向に貫通して床面に開口したストライク孔に係入可能に案内されたデッドボルトのラックに噛み合い係合させ、第１又は第２駆動歯車の回動をデッドボルトに伝達する構造である。
【０００５】
そのため、何等かの方法でデッドボルトを錠箱内に押込むと、その押込み力はシリンダ錠のタンブラーに印加されることになり、タンブラーは通常精密で繊細な部品であるから、この点において狭框扉錠の錠前としての強度の向上に未だ改良の余地がある。
【０００６】
そこで、この発明は、強度を向上させて安全性を増大させた錠止機構を提供することを目的としている。
【課題を解決するための手段】
【０００７】
上記の目的を達成するため、この発明は、狭框扉錠の錠箱内において夫々回動自在に案内され、錠前シリンダ及びサムターンシリンダ或いは他の錠前シリンダの一方に連係された第１駆動歯車と、他方に連係されると共に第１駆動歯車にも連係された第２駆動歯車と、錠箱を厚さ方向に貫通する方向の錠止レバー軸により中央部を回動自在に支承され、錠箱の振り出し開口から振り出されることにより一端部がストライク孔に振り入れられる錠止レバーと、この錠止レバーの他端部と一部重合する態様で水平方向に移動可能に案内されると共に錠止レバーと係合し、水平方向の往復動により錠止レバーを錠箱の振り出し開口から振り出したり錠箱内に引っ込めたりするスライダと、このスライダと上記第１及び第２駆動歯車とを連結し、後者の回動をスライダの水平方向の動きに変換する伝達機構と、上記錠止レバー軸と平行な回動軸を有し、スライダに形成されたラックと噛み合い係合をするセクターギアに一体的に結合されて、スライダの往復動により先端が錠止レバーを掠めるように回動する制御レバーと、錠箱内において一端を回動自在に支承され、他端が錠止レバーの他端部に形成された衝止段部に係合する方向に付勢されたロックレバーと、中央部を錠止レバーの他端部に回動可能に支承されたリリースレバーとを有し、このリリースレバーの一端が制御レバーの移動軌跡に干渉したとき、他端がロックレバーにその付勢方向とは逆方向から当接可能に臨むようにその寸法、形状を設定し、制御レバーの解錠方向への回動の初期において、リリースレバーの一端を押動し、その他端によりロックレバーの先端を錠止レバーの衝止段部から外すようにしたことを特徴とする。
【発明の効果】
【０００８】
上記のように構成された請求項１に記載の発明は、合鍵又はサムターンにより第１及び第２駆動歯車を回すと、スライダが水平方向に移動し、そのスライダの移動により錠止レバーを錠箱の振り出し開口から振り出してストライク孔に投入し、或いは錠箱内に引っ込めて狭框扉錠の施解錠を行うことができる。
【０００９】
施錠時、錠止レバーを錠箱内に引っ込めようとする力はロックレバーによって衝止されるので、錠前としての狭框扉錠の不正解錠に対する抵抗力が増大し、その分狭框扉錠の安全性が向上する。
【００１０】
また、解錠のための合鍵又はサムターンの回動の初期において上記ロックレバーよる錠止レバーの係止が解けるので、解錠操作を円滑に開始できる、という所期の効果も奏する。
【発明を実施するための最良の形態】
【００１１】
合鍵又はサムターンの操作により、錠止レバーを振り出し開口から振り出して施錠し、その施錠状態をロックレバーによって衝止するようにしたので、狭框扉錠の強度が向上した。
【実施例１】
【００１２】
以下、この発明の一実施例を図面を参照して説明する。
図１及び図２において符号１は狭框扉錠の錠箱を示し、この錠箱１は、例えばエンジンドアと称される電動引戸の下端に装着される。
【００１３】
この錠箱１内に夫々蛇の目形の第１及び第２駆動歯車２、３が回動可能に案内されており、その中央に配設されたアイドルギア４を介して相互に連結されている。
【００１４】
上記第１駆動歯車２には錠前シリンダ及びサムターンシリンダ或いは他の錠前シリンダの一方が、第２駆動歯車３には他方が夫々連係され、合鍵、又はサムターンの操作により連動して回動するように構成されている。
【００１５】
上記した狭框扉錠のシリンダ錠やサムターンと駆動歯車２、３との連係の態様は周知であるから、ここでは更に詳細な説明は省略する。
【００１６】
なお、図１、２において符号５は思案ばねを示し、この思案ばね５は合鍵又はサムターンの操作にスナップアクション性を付与する。
【００１７】
一方、図１及び図２において符号６は錠止レバーを示し、図示の実施例における錠止レバー６は全体の形状が略矩形の厚板で、錠箱１を厚さ方向（図１、２で紙面方向）に貫通する錠止レバー軸７により、中央部を回動自在に支承されている。
【００１８】
この錠止レバー６は、図１に示す解錠状態では全体が錠箱１内に完全に引っ込められているが、図２に示すように少し施錠方向に回動し始めると、その一端部が錠箱の振り出し開口８から振り出され、図８に示す施錠状態では、図示しないストライク孔に係入する。
【００１９】
他方、図１及び図に示す錠箱１の右上隅部には、錠止レバーの他端部と一部重合する態様で、スライダ９が水平方向（図で左右方向）に移動可能に案内されている。
【００２０】
このスライダ９の図における左端部に開口した縦長の第１係合穴１１には、伝達機構１２を構成する第３駆動歯車１３に植設された第１係合ピン１４が摺動可能に係合している。
【００２１】
上記第３駆動歯車１３は第２駆動歯車３と噛み合っているので、合鍵又はサムターンの操作により第３駆動歯車１３も回動し、スライダ９が水平方向に駆動される。
【００２２】
なお、図示の実施例とは反対に、第３駆動歯車１３に半径に沿う係合穴(図示せず)を、スライダにケイゴウピンを夫々設けても良い。
【００２３】
また、錠止レバー６の他端部には略ダルマ形の第２係合穴１４が開口しており、この第２係合穴１４には、スライダ９を厚さ方向に貫通して一端が錠箱の側板に開口した水平なガイド孔１６（図１参照）に係合する第２係合ピン１７が遊嵌している。
【００２４】
この場合、図示の実施例とは反対に、錠止レバー６の方に係合ピンを、スライダの方に係合穴を夫々設けても良い。
【００２５】
上記した構成により、スライダ９の左方への移動に伴って第２係合ピン１７が錠止レバーを駆動し、錠止レバー６が反時計方向（施錠方向）に回動し始めると共に、第２係合ピン１７とガイド孔１６との係合により、スライダ９が水平方向に移動可能に案内される。
【００２６】
なお、図１において符号１０はねじりコイルばねを示し、このねじりコイルばね１０は、錠止レバー６の他端部に植設されたピン（図面を明瞭にするため付番を省略する）にコイル部を巻装し、その一端を上記第２係合ピン１７に弾接させると共に、他端を錠止レバーの面に形成された図示しない溝に係合させている。
【００２７】
このねじりコイルばね１０はスライダ９の動きにスナップアクション性を付与する。
【００２８】
一方、図示の実施例では、上記第３駆動歯車１３の回動軸１８と同軸にセクターギア１９（図２参照）が回動可能に支承されており、このセクターギア１９はスライダ９に形成されたラック２１（図２参照）と噛み合っている。
【００２９】
このセクターギア１９とラック２１との噛み合いは、また、スライダ９の案内機構の一部を構成している。
【００３０】
更にまた、セクターギア１９の所定の角度位置における部分が半径方向に延伸して制御レバー２２を形成している。
【００３１】
上記した構成により、スライダ９が左方、すなわち施錠方向に移動すると、ラック２１を介してスライダ９に連係されたセクターギア１９が反時計方向に回動し、セクターギア１９と一体の制御レバー２２も反時計方向に回動する。
【００３２】
このとき、図１乃至図８に示すように、制御レバー２２の先端は、振り出し開口８から振り出される錠止レバー６を掠めるように反時計方向に回動する。
【００３３】
他方、図１及び図２に示すように、錠箱の右上隅部のスライダ９より更に右方に、一端（図で右端）を錠箱側面に回動自在に支承されると共に、他端の自由端が時計方向に付勢されたロックレバー２３が配設されている。
【００３４】
このロックレバー２３の先端（自由端）は、図８に示すように、施錠角度位置にまで振り出された錠止レバー６の他端部に形成された衝止段部２４（図７参照）と係合し、これを衝止する。
【００３５】
換言すれば、錠止レバー６を解錠方向（図８で時計方向）に回動させようとする外力はロックレバー２３の長さ方向に作用し、その回動軸に坦持される。
【００３６】
また、図２に示すように、リリースレバー２５が配設されている。
図示の実施例におけるリリースレバー２５は、全体の形状が略へ字形で、その凸部を外側に向けて中央部を錠止レバー６の他端部に回動可能に支承されている。
【００３７】
このリリースレバー２５の寸法、形状は、図７に示すような制御レバー２２の施錠完了寸前の角度位置、或いは解錠方向への回動の初期の角度位置において制御レバー２２の先端と干渉し、これに押動されるように、換言すれば、他端が反時計方向に跳ね上がってロックレバー２３の先端と錠止レバーの衝止段部２４との係合を解くことができるように設定されている。
【００３８】
その結果、合鍵またはサムターンを解錠方向に回動させる初期の段階において、ロックレバー２３による錠止レバー６の衝止を解き、解錠操作を円滑に開始できるようになる。
【００３９】
なお、図２乃至図４において符号２６は閉塞板を示し、この閉塞板２６は施錠状態において錠箱の振り出し開口８（図１及び図２参照）を閉塞して（図８参照）、開口から工具を差し入れての不正解錠を防止するものであるが、この閉塞板の構造、機能はこの発明の要旨ではないので、更に詳細な説明は省略する。
【００４０】
上記のように構成された錠止機構は、図１から図８への状態の変化が施錠を説明しており、反対に図８から図１への変化が解錠を説明している。
【００４１】
これらの状態の変化、及び各状態における各部材の相互の位置関係は前記した説明から明らかであるから、更に詳細な説明は省略する。
【図面の簡単な説明】
【００４２】
【図１】この発明の一実施例による錠止機構を有する狭框扉錠の側板を取り去って示す側面図で、解錠状態を示す。
【図２】この発明の一実施例による錠止機構を有する狭框扉錠の側板を取り去って示す側面図で、錠止レバーが少し振り出され施錠が始まった状態を示す。
【図３】この発明の一実施例による錠止機構を有する狭框扉錠の側板を取り去って示す側面図で、図２より更に錠止レバーが振り出された状態を示す。
【図４】この発明の一実施例による錠止機構を有する狭框扉錠の側板を取り去って示す側面図で、図３より更に錠止レバーが振り出された状態を示す。
【図５】この発明の一実施例による錠止機構を有する狭框扉錠の側板を取り去って示す側面図で、図４より更に錠止レバーが振り出された状態を示す。
【図６】この発明の一実施例による錠止機構を有する狭框扉錠の側板を取り去って示す側面図で、図５より更に錠止レバーが振り出された状態を示す。
【図７】この発明の一実施例による錠止機構を有する狭框扉錠の側板を取り去って示す側面図で、錠止レバーがほぼ完全に振り出されてはいるが、ロックレバーが衝止段部から外れている状態を示す。
【図８】この発明の一実施例による錠止機構を有する狭框扉錠の側板を取り去って示す側面図で、錠止レバーがほぼ完全に振り出された施錠状態を示す。
【符号の説明】
【００４３】
１  錠箱
２  第１駆動歯車
３  第２駆動歯車
４  アイドルギア
６  錠止レバー
７  錠止レバー軸
８  振り出し開口
９  スライダ
１１  第１係合穴
１２  伝達機構
１３  第３駆動歯車
１４  第１係合ピン
１５  第２係合穴
１６  ガイド孔
１７  第２係合ピン
１８  回動軸
１９  セクターギア
２１  ラック
２２  制御レバー
２３  ロックレバー
２４  衝止段部
２５  リリースレバー
２６  閉塞板
【図１】
2008163618.tif 000003
【図２】
2008163618.tif 000004
【図３】
2008163618.tif 000005
【図４】
2008163618.tif 000006
【図５】
2008163618.tif 000007
【図６】
2008163618.tif 000008
【図７】
2008163618.tif 000009
【図８】
2008163618.tif 000010